(57)【要約】【課題】人体毛髪に係わる多くの複雑な処理方法をわかりやすく説明することができるようにした教具として用いることができるマネキン頭部を提供する。【解決手段】人体頭部になぞらえたマネキン頭部１を形成し、このマネキン頭部１の人体頭部の頭髪領域に相当する領域に、植毛が施されていない非植毛頭髪領域５を設け、此処に筆記具７による書き込みができるようにする。また、これを消去できる書き換え自在とされた筆記面６を形成することによって、この筆記面６に人体頭髪に係わる処理の説明を描くことが可能である。これにより、複雑な処理方法をわかりやすく説明することができる。【選択図】図１
2007296087.tif 000002
【特許請求の範囲】
【請求項１】
人体頭部になぞらえたマネキン頭部であって、
その頭髪領域に植毛が施されていない非植毛頭髪領域、あるいはすでに植毛がなされた頭髪領域の植毛を排除した非植毛頭髪領域が形成され、
該非植毛頭髪領域の表面が、筆記具による書き込みが可能でかつその消去が可能な書き換え自在の筆記面とされた
ことを特徴とするマネキン頭部。
【請求項２】
前記筆記面が、着色塗料のコーティング面により形成した
ことを特徴とする請求項１に記載のマネキン頭部。
【請求項３】
前記筆記面が黒板塗料のコーティング面により形成され、
前記筆記具として、チョークを用い得るようにした
ことを特徴とする請求項１に記載のマネキン頭部。
【請求項４】
前記筆記面に、基準位置マークが付された
ことを特徴とする請求項１に記載のマネキン頭部。
【発明の詳細な説明】
【技術分野】
【０００１】
本発明は、例えば美容、理容用教具として用いて好適なマネキン頭部に関する。
【背景技術】
【０００２】
例えば美容、理容の業界において、美容師、理容師の資格取得を目的とした実技の修得、あるいは資格取得後における実践的実技の修得のための教育がなされる。また、高度の技術を有する美容師、理容師にあって、新しい技術や、時流に乗ったヘアデザインに応じた技術研鑽、研修、実習等の研究が、たゆみなくなされている。
このような、より実践に即した研究や、教育は、人体頭部になぞらえたマネキン頭部が広く利用されている（例えば特許文献１参照）。
【０００３】
図７は、従来、この美容、理容業界等で用いられているマネキン頭部の一例の斜視図である。図７で示すように、この業界で用いられているマネキン頭部１００にあっては、その頭髪領域に、すでに人工毛髪、人毛等の植毛１０１がなされているいわゆるマネキンウイッグである。そして、このマネキンウイッグによるマネキン頭部１００の植毛１０１に対して、シャンプー、カット、ワインディング、パーマ、セット、そのほか多くの実技練習を行うという方法が採られている。
【０００４】
しかしながら、実際には、この実技を、いきなりマネキン頭部に対して行うことは、その教育や、検討が充分に行い難いという問題がある。また、マネキン頭部の毛髪に、無意味な損耗を生じさせてマネキンウイッグの交換が必要になるなど経済的負担も問題になる。
そこで、このような問題を回避し、確実に目的とする実技を、効率よく行うために、マネキン頭部による実技練習に先立って、例えばシャンプーにあっては、頭髪領域に対してどのように進行させていくか、カットにあっては毛髪の小分けの位置、また、ワインディングにあっては同様の毛髪の小分けの位置、ロットの大きさ、向き、配置の仕方などを、例えばホワイトボードや、黒板上に描いて説明するなどの方法が、当事者間で行われている。
【０００５】
ところが、この方法による場合、実際に行われる対象物の人間頭部、およびその実技練習に用いるマネキン頭部は、立体物であることから、この立体面が、ホワイトボードや、黒板上で平面的に展開されて描かれると、寸法関係や、位置関係が正しく表現できなない。
このため、当事者相互に、正確な意思の伝達が図れず、効率よい教育、研究がなされにくいという問題が生じる。
【特許文献１】特開２００３−８８５２１号公報
【発明の開示】
【発明が解決しようとする課題】
【０００６】
本発明は、上述したように、人体頭部に関する説明を正確に、効率よく表現することができるようにし、美容、理容における頭髪に対する処理、例えばシャンプー、カット、グラデーションカット、ワインディング、パーマ、メッシュ、ブロー、セットそのほか各種技術の実技上の教育、研究、研修等を効果的に行うことができるようにしたマネキン頭部を提供するものである。
【課題を解決するための手段】
【０００７】
本発明によるマネキン頭部は、人体頭部になぞらえたマネキン頭部であって、その頭髪領域に植毛が施されていない非植毛頭髪領域、あるいはすでに植毛がなされた頭髪領域の植毛を排除した非植毛頭髪領域が形成され、該非植毛頭髪領域の表面が、筆記具による書き込みが可能でかつその消去が可能な書き換え自在の筆記面とされたことを特徴とする。
【０００８】
このように、人体頭部になぞらえたマネキン頭部に筆記具によって書き込み、消去、すなわち書き換え自在の筆記面を形成したことから、この立体マネキン頭部に直接的に頭髪に対する各種処理、例えばシャンプー、カット、グラデーション、ワインディング、パーマ、カラーリング、メッシュ、ブロー、セットそのほかの処理における手順、位置、寸法等を人体頭部に即した立体面で、書き込みながら、あるいは書き込んだ状態で説明することができる。
【０００９】
また、本発明によるマネキン頭部は、前記筆記面が、着色塗料のコーティング面によって形成されたことを特徴とする。
また、本発明によるマネキン頭部は、前記筆記面が黒板塗料のコーティング面により形成され、前記筆記具としてチョークを用いることができるようにしたことを特徴とする。
また、本発明は、前記マネキン頭部にあって、前記筆記面に、基準位置マークを付したことを特徴とする。
【発明の効果】
【００１０】
本発明によるマネキン頭部は、その頭部自体に書き換え自在の筆記面を形成したことから、この立体マネキン頭部に直接的に頭髪に対する各種処理、例えばシャンプー、カット、グラデーション、ワインディング、パーマ、カラーリング、メッシュ、ブロー、セットそのほかの処理を、人体頭部に対応した立体面で、適切な手順、正確な位置、寸法等を提示して説明することができる。したがって、効率のよい意思の伝達ができることから、実技指導をはじめとして実技修得、研修、研鑽を行うことができる。
【発明を実施するための最良の形態】
【００１１】
本発明によるマネキン頭部の実施の形態例を図面に基づいて説明する。しかしながら、本発明によるマネキン頭部は、これら実施の形態例に限定されるものではない。
図１Ａは、本発明によるマネキン頭部１の斜め正面側から見た斜視図であり、図１Ｂは、同様のマネキン頭部１の背部側から見た斜視図である。
このマネキン頭部１は、頚部２から上方の典型的人体頭部の形状に倣った形状とされ、前方が顔面３とされ、左右両側面に耳４が形成されている。
このマネキン頭部１は、例えば樹脂成型品として形成することができ、通常、頭皮以外の部分が、肌色の表面に形成される。
【００１２】
本発明においては、マネキン頭部１の頭髪領域、すなわち人体頭部において頭髪が生えている領域に相当する頭髪領域が、植毛されていない非植毛頭髪領域５とされる。この非植毛頭髪領域５は、マネキン頭部１の製造にあって、植毛がなされていない頭部として製造するとか、あるいはすでに植毛されているマネキン頭部において、これを脱毛もしくは剃髪することによって形成することができる。
【００１３】
そして、この非植毛頭髪領域５の表面を、書き込みによる筆記ができ、しかも、これを消去することができるように書き換え可能な筆記面６として加工形成する。
図２は、マネキン頭部１の非植毛頭髪領域５の筆記面６に筆記具７によって筆記を行っている状態を示す斜視図である。
この筆記面６は、緑色、もしくは黒色等の濃い色彩を呈する例えば市販の黒板塗料のスプレーを用いて一様に噴霧塗布することによって、表面がなめらかな頭部曲面に沿った面形状に形成される。
筆記具７は、筆記面６の色彩に対して異なる色を有し、筆記面６の色彩に対して高いコントラストが得られる筆記具７が用いられる。例えば筆記面６が緑色、あるいは黒色等の黒板塗料によって形成される場合は、筆記具７として例えば白色のチョークを用いることができる。
【００１４】
この場合、筆記面６は、通常の黒板の面と同様に、チョークによる筆記具７による書き込みができるように、チョークに関して適度の摩擦を呈する微細粗面とされる。
そして、この筆記具７による書き込みを消去する器具としては、必要に応じて湿潤させた布地、スポンジ等によることができる。あるいは従来の平板な黒板に対する黒板消し具に相当する構成とすることができるが、この場合、黒板消し具の筆記面６に対する払拭面は、マネキン頭部の筆記面７のいずれにおける曲面より緩やかな曲面による凹面を有する形状とすることが望ましい。
【００１５】
また、筆記面６には、例えば図１および図２に示すように、必要に応じて、例えばいわゆるイヤー・ツウ・イヤー線とか、ゴールデンポイントとかの基本となる位置を示す基準マーク８を、視覚的にあるいは触覚的に判知することができる手法によって形成することができる。
この基準マーク８は、例えば筆記面にラインを所要の圧力をもって罫書きするとか、ポイント圧を与えるとかによって線状もしくは点状の主として触覚的に判知できる基本位置の基準マーク８として形成することができる。あるいは視覚的に筆記面６に書き込んで形成した基準マーク８とすることもできる。
【００１６】
図３-〜図６は、それぞれ本発明によるマネキン頭部１の筆記面６に、一部の作業の手順、方法等を説明する描画を筆記具７によって行った状態を模式的に示したマネキン頭部１の概略斜視図である。
図３は、シャンプーの手順の説明の描画線９を模式的に示した図で、この場合、ジグザグパターンの描画線９でその手順を示し、例えば額側に描画された第１のジグザクパターンｚ１に関して、その左右両耳４側から、左右各手の各指を頭皮に当てて擦りながら、両手をジグザクに、矢印をもって示す頭頂に向かって移動させ、次ぎにこのジグザクパターンｚ１と重複しながら次ぎの１つのジグザグｚ２に関して同様の作業を順次行う手順を示した場合である。
【００１７】
また、図４ＡおよびＢは、カットの小分けの取り方を描画線９で示した状態のマネキン頭部１を上方側面および背部からそれぞれみた概略斜視図である。
図５は、パーマにおけるロッドの巻回方法を描画線９で示したマネキン頭部１の概略斜視図で、この場合、例えばロッドの配置位置や向きを例示したり、さらに図示していないが、使用するロッドの太さ、長さの寸法の指定を記入することができる。
【００１８】
図６は、カラーメッシュを得るための、染める位置を指導する描画線９を描いてこれによってカラーメッシュを仕上げることが可能となるようにした状態のマネキン頭部１の概略斜視図である。
【００１９】
本発明によるマネキン頭部１によれば、その頭部自体に書き換え自在の筆記面を形成したことから、この立体マネキン頭部に直接的に頭髪に対する各種処理、例えばシャンプー、カット、グラデーション、ワインディング、パーマ、カラーリング、メッシュ、ブロー、セットそのほかの処理を、人体頭部に対応した立体面で描画して説明することができるので、適切に手順、位置、寸法等を提示して説明することができる。したがって、効率のよい意思の伝達ができ、実技指導をはじめとして実技修得、研修、研鑽を効率よく行うことができる。
【００２０】
特に、筆記面６を、黒板塗料のコーティングによって形成し、筆記具としてチョークを用いる場合は、その描画および消去を手軽に行うことができると共に、マネキン頭部１の製造の簡便化、価格の低廉化を図ることができる。
しかしながら、本発明は、黒板塗料による筆記面６と無機材のチョークによる筆記具７との組み合わせに限られるものではない。例えば溶剤を含む筆記具７と、これによる書き換え可能な筆記面６との組み合わせによることができる。この場合、筆記面６は、筆記具７の溶剤によって溶解することなく筆記可能で、かつ拭き取り可能な滑面加工とした筆記面とすることができる。
また、基準印マーク８を設けておくときは、より説明の便宜を図ることができる。
【００２１】
上述した各描画線９は、図面に基いて美容、理容におけるごく一部の技術への適用について説明したが、本発明は、上述した例に限定されるものではなく、特許請求の範囲に記載した本発明の要旨を逸脱しない範囲で種々の変形変更を行うことができる。
【図面の簡単な説明】
【００２２】
【図１】ＡおよびＢは、本発明によるマネキン頭部の一例の斜め正面側から見た斜視図および背部側から見た斜視図である。
【図２】本発明によるマネキン頭部の一例の筆記面に筆記具によって書き込みを行っている状態の斜視図である。
【図３】本発明によるマネキン頭部の一例の筆記面にシャンプーの手順を描画線で示した状態の概略斜視図である。
【図４】ＡおよびＢは、本発明によるマネキン頭部の一例の筆記面にカットの小分けの取り方を描画線で示した状態の上方側面からみた模式的斜視図および背部からみた概略斜視図である。
【図５】本発明によるマネキン頭部の一例の筆記面にパーマのロッドの巻回方法を描画線で示した状態の概略斜視図である。
【図６】本発明によるマネキン頭部の一例の筆記面にカラーメッシュに仕上げるための染める位置を描画線で示した状態の概略斜視図である。
【図７】従来のマネキン頭部の概略斜視図である。
【符号の説明】
【００２３】
１……マネキン頭部、２……頚部、３……顔面、４……耳、５……非植毛頭髪領域、６……筆記面、７……筆記具、８……基準マーク、９……描画線、１００……マネキン頭部、１０１……植毛
【図１】
2007296087.tif 000003
【図２】
2007296087.tif 000004
【図３】
2007296087.tif 000005
【図４】
2007296087.tif 000006
【図５】
2007296087.tif 000007
【図６】
2007296087.tif 000008
【図７】
2007296087.tif 000009